(57)【要約】 【課題】模型やスポーツ用品に張る水転写シールは多くの場合、スライド式転写が使用されているが、微小な図柄や大きなものは転写が難しく熟練を要した。本発明は水に浸すだけで、反転転写が可能な水転写シートの開発に関する。【解決手段】水に浸漬した時に反転転写に必要な粘着性を発揮させるには、水に難溶性又は低溶解性の水溶性樹脂を使用する。本発明は基材シート４に水溶性剥離層３を設け、この水溶性剥離層３にインキ層２ｂを印刷し、このインキ層２ｂ上に、水に浸すと接着性を発揮する水性感圧接着層８を設けた。【選択図】図６
2008260174.tif 000002
【特許請求の範囲】
【請求項１】
基材シートに水溶性剥離層を設け、この水溶性剥離層にインキ層を設け、このインキ層上に、水に浸すと接着性を発揮する水性感圧接着層を設けたことを特徴とする水転写シール。
【請求項２】
基材シートに水溶性剥離層を設け、この水溶性剥離層にアンダーコート層を設け、このアンダーコート層にインキ層を設け、このインキ層上に、水に浸すと接着性を発揮する水性感圧接着層を設けたことを特徴とする水転写シール。
【請求項３】
前記水性感圧接着層は水に溶解したとき、前記水溶性剥離層より高粘度であることを特徴とする請求項１又は２に記載の水転写シール。
【発明の詳細な説明】
【技術分野】
【０００１】
本発明は、模型やスポーツ用品に貼る水転写シールの図柄部分の表面に、水に浸すと接着性を発揮する水性感圧接着層をオーバーコートしておくことによって反転接着式転写が出来る水転写シールに関するものである。
【背景技術】
【０００２】
玩具や模型、自転車、スポーツ用品等に文字、模様、画像等の図柄を貼るために、一般的に水転写シールが用いられている。この水転写シールの転写方法は、水転写シールを水に浸すことによって基材シートと図柄部分を分離し、分離した図柄部分を被貼着面に貼り付けるスライド転写と呼ばれる方法が多く用いられている。
【０００３】
図１は従来の水転写シールの断面図、図２から図５はその水転写シールの転写方法を示した使用状態図である。この従来のスライド転写として用いられる水転写シールは、図１に示すように水透過性の基材シート(4)の上に水溶性剥離層（3）を塗布し、その上にインキ層（2a）を印刷し、その上にカバーコート層（1）を塗布している。
【０００４】
これを水（5）に浸すと、図２のように水溶性剥離層（3）が溶解し、インキ層（2a）をカバーコート層（1）と共に目的の被転写物（6）にスライドさせて図３のように転写する事が出来る。被転写物（6）に転写後、乾燥し、インキ層（2a）上のカバーコート層(1)を除去すれば図４のように完成する。通常は、インキ層（2a）のインキ塗膜の保護や光沢の目的で、最終製品には図５のようにオーバーコート層（7）が塗布される。
【特許文献１】特開２００１−０１８５９５号公報
【発明の開示】
【発明が解決しようとする課題】
【０００５】
しかし、この従来の転写方法の欠点は、水転写の作業時にインキ層（2a）とカバーコート層（1）が基材シート（4）から離れることを確認し、被転写物（6）にスライドさせる際にインキ層（2a）が変形し皺がより易く、インキ層（2a）を目的の位置に合わせて転写する作業が難しいということである。特に大きな図柄の転写には熟練を要する。
【０００６】
本発明は上記課題を解決するためになされたものであって、粘着転写のように転写シートを反転接着する事が出来る水転写シールを提供することを目的とするものである。
【課題を解決するための手段】
【０００７】
上記課題を解決する為には、粘着転写のように転写シートを反転接着する事が出来ればインキ層やカバーコート層を被転写物上にスライドさせずに済む。しかし、水を使用する接着剤には再湿接着剤としてガムテープや切手等に使用されている貼着剤があるが、これらは水で湿らせるだけで粘着性を発揮するように易溶性の樹脂が使用されており、水に浸漬してしまえばその粘度は水溶性剥離剤と殆んど変わらず、粘着転写のように転写シートとすることは難しい。その為、通常のスライド転写のように水に浸すだけで水溶性剥離層のみ溶解し、インキ層の表面に塗布された接着剤層は反転転写が可能な粘着性を発揮するような水性感圧接着層を用いることが考えられる。
【０００８】
本発明の水転写シールは、基材シートに水溶性剥離層を設け、この水溶性剥離層にインキ層を設け、このインキ層上に、水に浸すと接着性を発揮する水性感圧接着層を設けている。
【０００９】
上記構成によって、水転写シールを水に浸すと水性感圧接着層が接着性を発揮し、目的の被転写物に接着する。また、水溶性剥離剤が溶解してインキ層が容易に剥離する。
また、本発明の水転写シールは、基材シートに水溶性剥離層を設け、この水溶性剥離層にアンダーコート層を設け、このアンダーコート層にインキ層を設け、このインキ層上に、水に浸すと接着性を発揮する水性感圧接着層を設けている。前記構成のアンダーコート層は基材シートの剥離を更に容易にする。
【００１０】
また、前記水転写シールおいて、前記水性感圧接着層が水に溶解したとき、前記水溶性剥離層より高粘度であることを特徴とする。
前記構成により、水性感圧接着層は水溶性剥離層より高粘度であるため、インキ層はしっかりと被転写物に接着するが、基材シートからは容易に剥離する。
【発明の効果】
【００１１】
従来の水転写シールと同様に水に浸漬するだけで粘着転写のように反転式転写が可能になった。その結果、従来難しかった非常に微細な図柄から大きな図柄まで自由に転写する事が出来るようになった。
【００１２】
本発明に使用する水に難溶性の水性感圧接着層は多くの被転写物に対する接着性も強く、転写後は水による洗浄にもインキ層の接着は十分耐えるものであり、水溶性剥離層の洗浄作業は熟練を要しない。その結果、作業時間が短縮され、作業能率も向上し、工業的生産ラインに組み込んでも充分作業出来るものである。
【発明を実施するための最良の形態】
【００１３】
以下に、本発明の水転写シールの実施の形態を図面を用いて説明する。
（実施の形態１）
図６は本発明の実施の形態１の水転写シールの断面図である。
【００１４】
この実施の形態１の水転写シールは、水透過性の基材シート（４）の上に水溶性剥離層（3）を塗布し、その上にインキ層（2b）を左右反転印刷し、その左右反転印刷したインキ層（2b）の上に、水に浸すだけで接着性を発揮する水性感圧接着層を塗布したものである。
【００１５】
基材シート（4）の材質としては一般的には水透過性のあるアート紙や上質紙等が使われているが、ポリビニールアルコールフィルムやセルロースアセテートフィルム等の水透過性のある透明なプラスチックフィルムを使用すれば、転写時に図柄がよく見えるので位置決めが容易になり、一層能率が良くなる。
【００１６】
水溶性剥離層（3）はデキストリンを用いている。デキストリンは澱粉の加水分解によって得られるもので、構造中に多数のヒドロキシル基を有するために、水溶性であることから、基材シート（4）に対するインキ層（2b）の印刷、分離に適している。ただし、本発明では水溶性剥離層（3）はデキストリンに限定されるものではなく、水性感圧接着層（8）と比較して非難溶性の材料であれば、でん粉、にかわ、ゼラチン等を用いることができる。
【００１７】
前記インキ層（2b）は、ポリエステル系、ウレタン系、エポキシ系のインキを使用して水溶性剥離層（3）の表面に文字、図形、模様等の図柄を印刷するものである。このインキ層（2b）は被転写物（6）に反転して印刷されるので、水溶性剥離層（3）への印刷は左右反転印刷にて行う。印刷の手段としては、スクリーン印刷やオフセット印刷などを用いることができる。ただし、この印刷の手段として、その他の手段を用いてもよい。
【００１８】
本発明の水性感圧接着層（8）の接着剤は、前記再湿接着剤より更に水に難溶性又は水膨潤性のものを用いる。即ち、この水性感圧接着剤は水に溶解したとき、高粘度であることが必要であり、水溶性剥離層(3)との粘度の差がインキ層（2b）の接着と基材シート(4)の剥離を分けるものである。この場合の「高粘度」とは難溶性又は低溶解度という事であり、樹脂分が多い場合の高粘度という事ではない。
【００１９】
水性感圧接着層（8）は、水溶性樹脂の中で低溶解度で高粘度を示すもの、例えば、にかわ、ゼラチンの動物蛋白やメチルセルロース、カルボキシメチルセルロース（ＣＭＣ）、ヒドロキシエチルセルロース（ＨＥＣ）等のセルロース類や、ポリビニールピロリドン等を用いることができる。またポリビニールアルコール（ＰＶＡ）も再湿のりとして使用されている、完全ケン化物の低及び中重合度品（重合度500〜1800）や部分ケン化物の中及び高重合度品（重合度1700〜2500）であれば使用できる。これらの樹脂を1〜15％の低濃度の水溶液とし、水性感圧接着剤とする。樹脂濃度は低い方が最終製品への残留成分が少なくなるので良い。
【００２０】
他に、吸水性のエマルジョンとして、ポリオキシエチレンのメタクリル酸モノエステルとアクリル酸アルキルエステルの共重合物も水に溶解はしないが親水性で吸水性が大きく、水性感圧接着剤として利用出来るものもある。
【００２１】
水性感圧接着剤は、少なくともインキ層（2b）の部分に塗布する必要があるため、スクリーン印刷する場合が多い。その場合、水性感圧接着剤の粘度はスクリーン印刷に適した2000〜100000（mPa・ｓ）の範囲のものを用いる。インキ層（2b）に対する印刷適性をよくするための添加剤として、消泡剤、レベリング剤等を添加し、インキ適性を整える。水性感圧接着剤は、水に難溶性の樹脂を使用するので、樹脂濃度が1〜1５％と非常に低いにも拘らず、印刷適性は非常に良く、スクリーン印刷の版上で粘る事も無い。また、版の洗浄も容易である。この水性感圧接着層(8)を100〜300メッシュのスクリーン版でインキ層（2ｂ）に印刷し、乾燥したものが図６に示す反転接着式水転写シールである。
【００２２】
次に、前記反転接着式水転写シールの使用方法を説明する。
水溶性剥離層（3）が溶解してインキ層（2b）が基台シート（4）に対して滑りやすくなるまで、図６の水転写シールを水に漬ける（図示せず）。この水溶性剥離層（3）が水に溶解してインキ層（2b）が滑りやすくなっても、前記水性感圧接着層（8）は、水溶性剥離層（3）より水に難溶性又は水膨潤性、低溶解性の樹脂を塗布しているので、高粘度を維持している。
【００２３】
上記のようにして、水溶性剥離層（3）が溶解してインキ層（2b）が滑りやすくなった水転写シールを、通常の粘着転写と同じように目的の被転写物（6）に水性感圧接着層（8）側を反転圧着させる。そして、図７に示すように、剥離しやすくなった基材シート（4）を従来のスライド転写と同じように剥離する。剥離の際、前記水性感圧接着層（8）は水溶性剥離層（3）より高粘度であるため、インキ層（2b）はしっかりと被転写物（6）に接着するが、基材シート（4）からは容易に剥離する。
【００２４】
従って、図２に示すように、従来の水転写シールのように、薄いインキ層（2b）を被転写物（6）にスライドさせる際にインキ層（2b）が変形するおそれがなく、通常の粘着転写と同じ要領でインキ層（2b）を被転写物（6）に接着できるので、転写作業が容易となる。
【００２５】
上記のようにして、インキ層（2b）を被転写物（6）に転写した後、乾燥し、図８に示すようにオーバーコート層（7）をインキ層（2b）及び被転写物（6）に設ける。この図８は従来のスライド転写の場合の図５と同じである。
【００２６】
なお、本発明に使用する水性感圧接着層（8）の原料である水溶性樹脂の多くは粉末であり、これらを使ってインキ層（2b）上に印刷した乾燥塗膜は粘着性が無く、印刷物を積み重ねてもブロッキングすることは無い。それ故インキ層（2b）を保護するオーバーコート層としての働きもある。
【００２７】
また、従来の水転写の場合、転写後、水溶性剥離層（3）である樹脂成分を水できれいに除去する必要があるが、従来の転写ではインキ層（2b）が動き易いため、綿棒等で拭き取る程度であり、水溶性剥離層（3）の除去には熟練を要した。しかし、本発明ではインキ層（2b）は水性感圧接着層（8）により被転写物（6）に比較的強く接着しているので、水溶性剥離層（3）の除去は容易である。
【００２８】
（実施の形態２）
図９は本発明の実施の形態２の水転写シールの断面図である。
この実施の形態２では、アンダーコート層（9）を使用した場合を例示している。即ち、この実施の形態２は、水透過性の基材シート（４）、水溶性剥離層（3）、インキ層（2b）、水性感圧接着層（8）は前記実施の形態１と同じであるが、水溶性剥離層（3）とインキ層（2b）との間にアンダーコート層（9）を設けている。このアンダーコート層（9）は基材シート（4）の剥離を更に容易にし、インキ層（2b）を保護する為に水溶性剥離層（3）の上に塗布している。これは図１のカバーコート層（1）と同じ目的であり、材質も同じ物で良い。最終的にアンダーコート層（9）は除去され、オーバーコート層（7）を塗布して図８の完成品となる。
【産業上の利用可能性】
【００２９】
本発明は、図柄の表面に、水性感圧接着剤を塗布することにより、模型やスポーツ用品に簡単に張ることのできる水転写シールを提供することができる。
【図面の簡単な説明】
【００３０】
【図１】従来の水転写シートの断面図である。
【図２】従来の水転写シートの使用状態図である。
【図３】従来の水転写シートの使用状態図である。
【図４】従来の水転写シートの使用状態図である。
【図５】従来の水転写シートの使用状態図である。
【図６】本発明の実施の形態１の水転写シートの断面図である。
【図７】同水転写シートの使用状態図である。
【図８】同水転写シートの使用状態図である。
【図９】本発明の実施の形態２の水転写シートの断面図である。
【符号の説明】
【００３１】
１    カバーコート層
２ｂ  インキ層
３    水溶性剥離層
４    基材シート
５    水
６    被転写物
７    オーバーコート層
８    水性感圧接着層
９    アンダーコート層
【図１】
2008260174.tif 000003
【図２】
2008260174.tif 000004
【図３】
2008260174.tif 000005
【図４】
2008260174.tif 000006
【図５】
2008260174.tif 000007
【図６】
2008260174.tif 000008
【図７】
2008260174.tif 000009
【図８】
2008260174.tif 000010
【図９】
2008260174.tif 000011